(57)【特許請求の範囲】
【請求項１】
開口部を有する、使用者の排泄物を収容するための容器本体と、
前記容器本体が前記開口部を上方に向けて着脱可能に装着される、便座部を有する枠体と、を備えた簡易トイレの前記容器本体に装着して使用される、展開した状態で長方形のシート状である、簡易トイレ用吸収シート体であって、
透液性を有する表面シートと、不透液性を有する裏面シートと、前記表面シートと前記裏面シートとの間に配設される液体を吸収可能な矩形シート状の吸収体とを有し、前記容器本体の少なくとも底部を覆うように前記容器本体に収容され、液体を吸収可能な吸収部と、
前記表面シートと前記裏面シートとを有し、前記吸収部の外周に全周にわたって連なる前記吸収部よりも柔軟性が高いフラップ部であって、前記吸収部の一方側に位置する第１フラップ部分と、前記吸収部の他方側に位置する第２フラップ部分とを有するフラップ部と、
弾発的に伸縮可能な一対の糸状部材であって、前記展開した状態において、伸長させた状態で、前記吸収体の互いに対向する２つの縁辺と離間して、かつ前記２つの縁辺と平行となるように、前記第１フラップ部分および前記第２フラップ部分のそれぞれに接合される一対の糸状部材と、を備えることを特徴とする簡易トイレ用吸収シート体。
【請求項２】
前記フラップ部は、前記吸収部が前記容器本体の前記底部を覆うように位置した状態で、前記開口部から外方に突出する部分を有することを特徴とする請求項１に記載の簡易トイレ用吸収シート体。
【請求項３】
前記フラップ部には、前記容器本体に着脱可能に貼着する貼着部が設けられていることを特徴とする請求項１または２に記載の簡易トイレ用吸収シート体。
【発明の詳細な説明】
【技術分野】
【０００１】
本発明は、簡易トイレに装着して用いられる簡易トイレ用吸収シート体に関する。
【背景技術】
【０００２】
図１８は、第１の従来技術の簡易トイレ用吸収シート体７４の側面図であり、図１９は、第１の従来技術の簡易トイレ用吸収シート体７４の第１壁部７５および第２壁部７６の上部が外側に折返された状態を示す斜視図である。
【０００３】
簡易トイレ用吸収シート体７４は、たとえば透液性を有する矩形の表面シートと、不透液性を有し、表面シートに重ねて接合される矩形の裏面シートと、表面シートと裏面シートとの間に配設される矩形の吸収体と、を備えた帯状の吸収シートを、吸収シートの長手方向に垂直な幅方向に平行な折り曲げ線７７で表面シート同士が向き合うように２つ折りにし、表面シートおよび裏面シートの各幅方向縁辺部のそれぞれが、折り曲げ線７７から所定の長さだけ接合されて形成される。
【０００４】
吸収シート体７４は、折り曲げ線７７が、簡易トイレに着座した使用者から見て前後方向に延びるように袋状に拡げて用いられ、折り曲げ線７７を介して２つ折りされた吸収シートの第１壁部７５と第２壁部７６とが、折り曲げ線７７を含む鉛直な一平面に関して左右に位置する状態で、簡易トイレの容器本体に装着される。第１壁部７５と第２壁部７６との上部は、容器本体の開口部を覆うように開口部の内周から外側に折り返され、その上に着座して使用するように構成されている。
【０００５】
第２の従来技術として、特許文献１には、排泄物の飛散および排泄物受け容器の汚損を防止するために、有底円筒状の排泄物受け容器に収容されるポータブルトイレシートが記載されている。ポータブルトイレシートは、排泄物受け容器と同様に有底円筒状に形成されており、上部の開口部には、ゴム紐が開口部の全周にわたって設けられている。ポータブルトイレシートは、ポータブルトイレシートの開口部が排泄物受け容器の開口部を覆うように装着され、ゴム紐によって、排泄物受け容器に保持され、このような状態で着座して使用される。
【先行技術文献】
【特許文献】
【０００６】
【特許文献１】特開２００７−２１５９７９号公報
【発明の概要】
【発明が解決しようとする課題】
【０００７】
第１の従来技術の吸収シート体では、該吸収シートが容器本体に装着された状態において、第１壁部と第２壁部とは、上下方向に延びて配設されるので、排泄物との接触時間が短く、接触する面積も少なく、尿などの液体の排泄物を十分に吸収することができないという問題がある。また、折り曲げ線７７の両端に位置する角部が、容器本体の内面に接触して折れ曲がって重なった状態になるので、吸収シート体の尿などの液体を吸収する吸収面の露出面積が減少することがあるという問題がある。
【０００８】
第１の従来技術の吸収シート体では、尿などの液体の排泄物は、容器本体の底部上に位置する吸収シート体の底部に溜まりやすく、使用者が排泄した尿が、吸収シート体の底部に溜まった液体に当たって排泄音が発生することがある。また吸収シート体の底部に溜まった液体に、排泄した液体が当たることによって、液体の臭いが拡散して、吸収シート体が装着された簡易トイレの外部に放散されやすくなる。
【０００９】
第２の従来技術のポータブルトイレシートは、有底円筒状に形成されており、排泄物が排泄される方向と平行または鋭角に配設される周壁部分では、有効に尿などの液体の排泄物を吸収することができない。
【００１０】
ポータブルトイレシートは、細長な有底円筒状であり、尿などの液体の排泄物の排泄量が多い場合には、第１の従来技術の吸収シート体と同様に、ポータブルトイレシートの底部に溜まりやすく、排泄した尿が、ポータブルトイレシートに溜まった液体の排泄物に当たって排泄音が出ることがある。またポータブルトイレシートに溜まった液体に、排泄した液体が当たることによって、液体の臭いが拡散して、ポータブルトイレシートが装着された排泄物受け容器の外部に放散されやすい。
【００１１】
本発明の目的は、可及的に広い吸収面が形成されるように容器本体に装着して、排泄物を迅速に吸収することができる簡易トイレ用吸収シート体を提供することである。
【課題を解決するための手段】
【００１２】
本発明は、開口部を有する、使用者の排泄物を収容するための容器本体と、
前記容器本体が前記開口部を上方に向けて着脱可能に装着される、便座部を有する枠体と、を備えた簡易トイレの前記容器本体に装着して使用される、展開した状態で長方形のシート状である、簡易トイレ用吸収シート体であって、
透液性を有する表面シートと、不透液性を有する裏面シートと、前記表面シートと前記裏面シートとの間に配設される液体を吸収可能な矩形シート状の吸収体とを有し、前記容器本体の少なくとも底部を覆うように前記容器本体に収容され、液体を吸収可能な吸収部と、
前記表面シートと前記裏面シートとを有し、前記吸収部の外周に全周にわたって連なる前記吸収部よりも柔軟性が高いフラップ部であって、前記吸収部の一方側に位置する第１フラップ部分と、前記吸収部の他方側に位置する第２フラップ部分とを有するフラップ部と、
弾発的に伸縮可能な一対の糸状部材であって、前記展開した状態において、伸長させた状態で、前記吸収体の互いに対向する２つの縁辺と離間して、かつ前記２つの縁辺と平行となるように、前記第１フラップ部分および前記第２フラップ部分のそれぞれに接合される一対の糸状部材と、を備えることを特徴とする簡易トイレ用吸収シート体である。
【００１３】
また、本発明は、前記フラップ部は、前記吸収部が前記容器本体の前記底部を覆うように位置した状態で、前記開口部から外方に突出する部分を有することを特徴とする。
【００１４】
また、本発明は、前記フラップ部には、前記容器本体に着脱可能に貼着する貼着部が設けられていることを特徴とする。
【発明の効果】
【００１５】
本発明によれば、糸状部材が、その伸長された状態が解放されて自然状態に縮小すると、吸収部に連なる第１フラップ部分と第２フラップ部分とは、吸収部よりも柔軟性が高いので、吸収部に皺が寄ったり、吸収部が折れ曲がったりすることなく、吸収部の縁辺を支点にして、第１フラップ部分の糸状部材と第２フラップ部分の糸状部材とが互いに近づく方向に立ち上がる。これによって、簡易トイレ用吸収シート体を、椀状に膨出した形状に変形して、広い吸収面が形成された状態で、容器本体に装着することができ、簡易トイレ用吸収シート体は、容器本体の内面に沿わせた、皺が寄ったり、折れ曲がったりしていない吸収部の全域で液体の排泄物を迅速に吸収することができる。尿などの液体が簡易トイレ用吸収シート体に吸収されずに簡易トイレ用吸収シート体上に溜まることを抑制することができ、これによって排泄にともなう排泄音および排泄物の臭いが簡易トイレの外部に漏れることを抑制することができる。
【００１６】
フラップ部は、吸収部が容器本体の底部を覆うように位置した状態で、開口部から外方に突出する部分を有するので、便容器に装着された簡易トイレ用吸収シート体を便容器から衛生的に取り出すことができる。
【００１７】
フラップ部には、容器本体に着脱可能に貼着する貼着部が設けられているので、便容器に装着された簡易トイレ用吸収シート体がずれることを防止して、排泄物を簡易トイレ用吸収シート体に確実に収容することができる。
【図面の簡単な説明】
【００１８】
【図１】本発明の第１実施形態の容器本体３に簡易トイレ用吸収シート体４が収容された簡易トイレの斜視図である。
【図２】簡易トイレ１の斜視図である。
【図３】上部カバー４１を開けた状態の簡易トイレ１の斜視図である。
【図４】簡易トイレ１の容器本体保持部７を示す斜視図である。
【図５】簡易トイレ１の容器本体保持部７に容器本体３が装着された状態の斜視図である。
【図６】容器本体３の斜視図である。
【図７】容器本体３の平面図である。
【図８】蓋部１３が装着された容器本体３の斜視図である。
【図９】簡易トイレ用吸収シート体４の展開図である。
【図１０】簡易トイレ用吸収シート体４の斜視図である。
【図１１】容器本体３に収容された簡易トイレ用吸収シート体４の斜視図である。
【図１２】容器本体３に収容された簡易トイレ用吸収シート体４の正面図である。
【図１３】容器本体３に収容された簡易トイレ用吸収シート体４の側面図である。
【図１４】容器本体３に収容された簡易トイレ用吸収シート体４の背面図である。
【図１５】第２実施形態の容器本体９１を上方から見た斜視図である。
【図１６】容器本体９１を側方から見た斜視図である。
【図１７】第３実施形態の容器本体９８の斜視図である。
【図１８】従来の簡易トイレ用吸収シート体７４の側面図である。
【図１９】従来の簡易トイレ用吸収シート体７４の第１壁部７５と第２壁部７６との上部が外側に折返された状態の斜視図である。
【発明を実施するための形態】
【００１９】
図１は、本発明の第１実施形態の簡易トイレ１の枠体２に着脱可能に保持された容器本体３に装着された簡易トイレ用吸収シート体（以下、「吸収シート体」という）４の斜視図である。図２は、簡易トイレ１の斜視図である。図３は、上部カバー４１を開けた状態の簡易トイレ１の斜視図である。図４は、簡易トイレ１の容器本体保持部７を示す斜視図である。図５は、簡易トイレ１の容器本体保持部７に容器本体３が装着された状態の斜視図である。図６は、容器本体３の斜視図である。図７は、容器本体３の平面図である。図８は、蓋部１３が装着された容器本体３の斜視図である。図９は、吸収シート体４の展開図であり、図１０は、吸収シート体４の斜視図であり、図１１は、容器本体３に収容された吸収シート体４の斜視図である。図１２は、容器本体３に収容された吸収シート体４の正面図であり、図１３は、容器本体３に収容された吸収シート体４の側面図であり、図１４は、容器本体３に収容された吸収シート体４の背面図である。
【００２０】
本実施形態の発明において、前方とは、簡易トイレ１に着座した使用者の前方を示し、後方とは、簡易トイレ１に着座した使用者の後方を示し、側方とは、簡易トイレ１に着座した使用者の左右方向を示す。
【００２１】
本発明は、開口部５を有する、使用者の排泄物を収容するための容器本体３と、容器本体３が開口部５を上方に向けて着脱可能に装着される便座部６を有する枠体２と、を備えた簡易トイレ１の容器本体３に装着して使用される吸収シート体４である。
【００２２】
便座部６は、使用者が着座可能な便座８と、容器本体３を着脱可能に保持する容器本体保持部７とを有する便座部６を備えている。便座８は、枠体２の後部に配設されたヒンジ部材９を介して前後方向に回動可能であり、容器本体保持部７は、便座８の下方に設けられて、上方に向けられた容器本体３の開口部５に形成されたフランジ部１２を保持する。容器本体３は、ヒンジ部材９を介して便座８を容器本体３の後方に回動させた状態で、上方に取り出し可能である。
【００２３】
容器本体３は、開口部５に装着される蓋部１３を有している。容器本体３は、さらに開口部５に回動可能に設けられた把持部１４を有しており、使用者は、把持部１４を把持して容器本体部３を持ち運ぶことができる。容器本体部３は、平面状の底壁１７と、底壁１７に連なる前部壁１８、後部壁１９および一対の側壁２０を有している。底壁１７、前部壁１８、後部壁１９および一対の側壁２０は平面状に形成されており、底壁１７と、前部壁１８、後部壁１９および一対の側壁２０とを繋ぐ角部２１は曲面で構成されている。容器本体３の開口部５の前部は、前方に突出した形状である。
【００２４】
容器本体保持部７は、便座８の下方に設けられ、容器本体３の開口部５に形成されたフランジ部１２を保持しており、容器本体３の開口部５に設けられた把持部１４を上方に引き上げて、容易に容器本体３を取り出すことができる。容器本体保持部７は、容器本体３の上下方向の長さにかかわらず、容器本体３の開口部５を所定の位置で保持している。これによって、容器本体３の上下方向の長さにかかわらず、便座８と容器本体３の開口部５との間の隙間を小さくすることができ、便座８と容器本体３の開口部５との間の隙間を介して、排泄にともなう音および臭いが外部に漏れることを抑制することができる。
【００２５】
簡易トイレ１の枠体２および容器本体３は、ポリエチレン（ＰＥ）、ポリプロピレン（ＰＰ）などのポリオレフィン系樹脂、ポリエチレン−テレフタレート（ＰＥＴ）などのポリエステル系樹脂で一体成形されるが、これに限定されるものではなく、ステンレス鋼などの金属板をプレス成型した成形品を用いることもできる。
【００２６】
吸収シート体４は、フラップ部２７と吸収部２９とを含む。フラップ部２７は、透液性を有する矩形の表面シート２５と、不透液性を有し、四辺が前記表面シート２５の四辺に重なった状態で表面シート２５に接合される矩形の裏面シート２６と、を含む。吸収部２９は、表面シート２５と、裏面シート２６と、表面シート２５と裏面シート２６との間に配設される矩形の吸収体２８と、を含む。
【００２７】
吸収シート体４は、さらに、弾発的に伸縮可能な索条５５であって、長手方向両端部が、長手方向両端部間の中間部が伸長した状態で、断続的にフラップ部２７の周縁部に接合される糸状部材である索条５５を備えている。索条５５は、吸収部２９を構成する吸収体２８の互いに対向する２つの縁辺５１と平行に設けられる。
【００２８】
吸収シート体４の構成として、表面シート２５と裏面シート２６との間に吸収体２８が介在され、平面視で長方形に形成され、表面シート２５の周縁部と裏面シート２６の周縁部とが熱シールまたはホットメルトシールによって接合されている。
【００２９】
表面シート２５は、可撓性かつ液透過性のシートであればよく、たとえば合成繊維からなる不織布、織布などの他、多孔性プラスチックフィルムなどを用いて形成することができる。不織布および織布の構成繊維としては、ポリプロピレン、ポリエチレン、ポリエステル、ナイロンなどの単繊維、またはポリエステル、ポリプロピレン、ポリエチレン、ナイロンなどの２成分以上からなる複合繊維などであり、ポリエステルとポリエチレンとの複合繊維、ポリプロピレンとポリエチレンとの複合繊維などが強度の面から好ましい。
【００３０】
裏面シート２６は、可撓性かつ液不透過性のシートなどを用いて形成することができる。具体的には、裏面シート１ｃは、ポリエチレンなどの液不透過性フィルム、液不透過性フィルムと不織布あるいは織布を貼り合わせた素材などを用いて形成することができる。また、液体を透過させない程度の多数の微小な透孔を設けたポリエチレン製フィルム、熱可塑性樹脂にフィラーを加えて延伸した透湿性のあるフィルム、あるいはこれらのフィルムの外側に不織布、織布を貼り合わせた複合シートを用いて裏面シート１ｃを形成してもよい。
【００３１】
吸収体２８は、たとえば綿状粉砕されたフラッフ状繊維と、尿などの液体を吸収し、ゲル状に凝固させる吸収性ポリマとが混合された吸収層を有し、その厚み方向の両側にティッシュを積層することによってシート状に形成される。吸収性ポリマは、たとえばデンプン−アクリル酸（塩）グラフト共重合体のケン化物、ナトリウムカルボキシメチルセルロースの架橋物、アクリル酸（塩）重合体などを用いることできる。
【００３２】
吸収体２８に、抗菌剤、殺菌剤、臭い吸収剤、芳香剤などが選択的に添加されてもよい、吸収体２８に抗菌剤または殺菌剤が添加されることによって、使用前の吸収シート体４の菌の繁殖および菌による汚染を防止することができる。また、吸収体２８に臭い吸収剤が添加されることによって、排泄物から放出された悪臭を緩和することができる。また、吸収体２８に芳香剤が添加されることによって、排泄物による悪臭を緩和することができる。
【００３３】
容器本体３が容器本体保持部７に保持された状態で、容器本体３の上方には、便座８が配設されている。便座８は、ヒンジ部材９を介して回動可能に枠体２に取付けられており、使用者が着座可能な着座位置と、容器本体保持部７に保持された容器本体３を取り出し可能な取り出し位置とに変位可能である。
【００３４】
図９は、展開した状態の吸収シート体４の平面図である。吸収シート体４は、たとえば、表面シート２５と裏面シート２６と吸収体２８とが積層された第１積層部５３と、表面シート２５と裏面シート２６とが積層された第２積層部５４とを備えている。第１積層部５３のＬ１は、４００ｍｍ〜６００ｍｍであり、好ましくは５５０ｍｍである。第１積層部５３のＷ１は、１７５ｍｍから２５０ｍｍであり、好ましくは２００ｍｍである。第２積層部５４のＬ２は、７００ｍｍ〜９００ｍｍであり、好ましくは８５０ｍｍである。第２積層部５３のＷ２は、５５０ｍｍから６５０ｍｍであり、好ましくは５５０ｍｍである。第２積層部５４に、伸長状態で、吸収体２８の縁辺５１と平行に接合される索条５５の長さＬ３は、３００ｍｍ〜６００ｍｍであり、吸収体２８の縁辺から索条５５までの距離Ｗ３は１６０ｍｍから２２０ｍｍであり、好ましくは１８０ｍｍである。索条５５は、４５０デニール〜１５００デニールの糸ごむから成り、１〜５コール（本）が用いられる。
【００３５】
吸収シート体４を容器本体３に収容する手順について説明する。吸収シート体４は、吸収部２９を構成する吸収体２８の互いに対向する２つの縁辺５１と平行に、吸収部２９の一方側に位置する第１フラップ部分５７と、吸収部２９の他方側に位置する第２フラップ部分５８とを有している。第１フラップ部分５７と第２フラップ部分５８との周縁部に接合された索条５５は、伸長された状態から解放されて縮小しており、第１フラップ部分５７および第２フラップ部分５８のうち索条５５が接合されている部分の第１フラップ部分５７および第２フラップ部分５８は索条５５とともに縮む。
【００３６】
第１フラップ部分５７および第２フラップ部分５８は、吸収部２９よりも柔軟性が高いので、吸収部２９に皺が寄ったり、吸収部２９が折れ曲がったりすることなく、吸収部２９を構成する吸収体２８の縁辺５１を支点にして、第１フラップ部分５７に接合されている索条５５と第２フラップ部分５８に接合されている索条５５とが互いに近づくように立ち上がる。フラップ部２７のうち吸収部２９の前方に連なるフラップ部分５９は、第１フラップ部分５７の一端部および第２フラップ部分５８の一端部に引き寄せられて、両端部８１が第１フラップ部分５７および第２フラップ部分５８とともに立ち上がる。フラップ部２７のうち吸収部２９の後方に連なるフラップ部分６０は、第１フラップ部分５７の他端部および第２フラップ部分の他端部に引き寄せられて、両端部８２が第１フラップ部分５７および第２フラップ部分５８とともに立ち上がる。
【００３７】
吸収シート体４は、吸収部２９を構成する吸収体２８の互いに対向する２つの縁辺５１が簡易トイレ１の前後方向に位置した状態で、底壁１７、前部壁および後部壁を覆うように、容器本体３の左右方向中央部に装着される。
【００３８】
吸収シート体４が容器本体３に収容された状態で、吸収部２９は、皺が寄ったり折れ曲がったりしていない状態で、底壁１７、前部壁１８および後部壁１９を覆い、さらに両側壁２０の下部を覆う。吸収部２９に連なる第１フラップ部分５７および第２フラップ部分５８は、両側壁２０の吸収部２９で覆われていない部分を覆い、さらに開口部５を覆うように、両側壁２０の外側に折返されている。
【００３９】
フラップ部２７のうち吸収部２９の前方に連なるフラップ部分５９は、容器本体３の開口部５の前部を覆って、開口部５の外側に折返され、吸収部２９の後方に連なるフラップ部分６０は、容器本体３の開口部５４の後部を覆って、開口部５の外側に折返される。
【００４０】
吸収シート体４では、第１フラップ部分５７に接合されている索条５５と第２フラップ部分５８に接合されている索条５５とが互いに近づくように、第１フラップ部分５７と第２フラップ部分５８とが立ち上がっており、フラップ部２７のうち吸収部２９の前方に連なるフラップ部分５９の両端部８１と、吸収部２９の後方に連なるフラップ部分６０の両端部８２とが、第１フラップ部分５７と第２フラップ部分５８とともに立ち上がっているので、吸収シート体４を簡単に容器本体３の内面に沿わせて収容することができる。吸収部２９は、皺が発生したり、折れ曲がったりせず、排泄物との接触時間が長く、排泄物と接触する面積も大きいので、有効な接触面が多く、尿などの液体の排泄物を吸収部の全面で迅速に、十分に吸収することができる。これによって、尿などの液体が簡易トイレ用吸収シート体内に溜まることが抑制され、排泄にともなう音および排泄物の臭いが外部に漏れることを抑制することができる。
【００４１】
吸収シート体４の排泄物を処理する場合には、開口部５の外側に折返された、第１フラップ部分、第２フラップ部分およびフラップ部分５９，６０の周縁部をまとめて把持して、排泄物を吸収シート体４に包まれた状態で、容器本体３から衛生的かつ簡単に取り出して処理することができる。
【００４２】
容器本体３に装着される吸収シート体４には、容器本体３に着脱可能に貼着する貼着部を設けることもできる。このような構成とすると、フラップ部２７に設けられた貼着部を容器本体３に貼着して、容器本体３に装着された吸収シート体４が、不用意に容器本体３から外れたり、ずれたりすることを防止することができる。
【００４３】
このように、吸収シート体４は、開口部５を有する、使用者の排泄物を収容するための容器本体３と、容器本体３が開口部５を上方に向けて着脱可能に装着される便座部６を有する枠体２と、を備えた簡易トイレ１の容器本体３に装着して使用される吸収シート体４であって、容器本体３の少なくとも底壁１７を覆うように容器本体３に収容され、液体を吸収可能な吸収部２９と、吸収部２９の外周に全周にわたって連なる吸収部２９よりも柔軟性が高いフラップ部であって、吸収部２９の一方側に位置する第１フラップ部分５７と、吸収部２９の他方側に位置する第２フラップ部分５８とを有するフラップ部２７と、弾発的に伸縮可能な一対の索条５５であって、第１フラップ部分５７および第２フラップ部分５８のそれぞれに、伸長させた状態で平行となるように接合される索条５５と、を備える。
【００４４】
これによって、索条５５の伸長された状態が解放されて自然状態に縮小すると、吸収部２９に連なる第１フラップ部分５７と第２フラップ部分５８とは、吸収部２９よりも柔軟性が高いので、吸収部２９に皺が寄ったり、吸収部２９が折れ曲がったりすることなく、吸収部２９の縁辺５１を支点にして、第１フラップ部分５７の索条５５と第２フラップ部分５８の索条５５とが互いに近づく方向に立ち上がる。
【００４５】
吸収シート体４は、容器本体３の内面に沿わせて、皺が寄ったり、折れ曲がったりしていない吸収部２９の全域で液体の排泄物を迅速に吸収することができる。尿などの液体が吸収シート体４内に溜まることを抑制することができ、これによって排泄にともなう音および排泄物の臭いが外部に漏れることを抑制することができる。
【００４６】
さらに、吸収部２９が容器本体３の底壁１７を覆うように位置した状態で、フラップ部２７が、開口部５から外方に突出する部分を有する構成とすることができる。このような構成であると、フラップ部２７は、吸収部２９が容器本体３の底壁１７を覆うように位置した状態で、開口部５から外方に突出する部分を把持して、容器本体３に装着された吸収シート体４を容器本体３から衛生的に取り出すことができる。
【００４７】
さらに、フラップ部２７には、吸収シート体４を容器本体３に着脱可能に貼着する貼着部が設けることができる。このような構成とすると、容器本体３に装着された吸収シート体４がずれること防止することができる。
【００４８】
図１５は、第２実施形態の容器本体９１を上方から見た斜視図である。図１６は、容器本体９１を側方から見た斜視図である。図１７は、第３実施形態の容器本体９８の斜視図である。
【００４９】
平成３０年には、６５歳以上の人口が４分の１以上を占める超高齢化社会となり、在宅では老老世帯が増加している。近年、たとえば骨折して病院に入院する高齢者が増加しており、国の医療費抑制策から入院期間が短くなる中、回復リハビリを受け、在宅生活に戻る為、高齢者が退院して在宅の療養を行なう場合に、簡易トイレが多用されている。足元が明るい日中は、既設のトイレが使用され、足元が見えにくい夜間になると、部屋に置かれた簡易トイレが使用されている。あるいは、介護者がいるときは既設トイレが使用され、介護者がいないときには簡易トイレが使用されている。また、検査やケガ等で入院する場合には、おむつの使用を拒み、簡易トイレの使用を希望する者が多い。とくに若年層の場合には、このような傾向が顕著である。
【００５０】
病院内で、嘔吐下痢、Ｏ−１５７，ノロウィルスなどの感染を予防するために、病院内に設置された供用トイレの使用を一時的に止めて、簡易トイレを使用することが増えている。このような社会的な背景によって、簡易トイレに収容される吸収シート体４の需要が増加している。
【００５１】
容器本体９１は、たとえばゴムを用いてチューブ状に形成され、逆止弁９２を備えている。逆止弁９２から容器本体９１内に空気などの気体を充填することによって、円環状の周壁９３と、周壁９３の底面９４を覆う底壁９５とを備えた容器本体９１が形成される。吸収シート体４が容器本体９１に収容された状態で、使用者は、円環状の周壁９３の上面９６に直接着座して排泄することができる。容器本体９１は、コンパクトに収納することができ、所望の場所に容易に持ち運んで、簡便に使用することができる。容器本体９１は、たとえば腰や臀部に褥瘡ができた患者のために柔らかく、弾力性を持たせた容器である。  
【００５２】
図１７は、第３実施形態の容器本体９８の斜視図である。容器本体９８は、たとえば樹脂を用いて、有底筒状に形成されており、上部開口部９９の周囲には、使用者が着座可能な円環状の着座部１００が形成されている。使用者は、吸収シート体４が容器本体９８に収容された状態で、着座部１００に着座して排泄することができる。容器本体９８には、開口部９９を覆う蓋部１０１が設けられており、使用者が排泄した排泄物の臭いが外部に漏れないように排泄物を処理することができる。容器本体９８は、病院などで、救急時に機動的に使用される。
【００５３】
既設のトイレを使用できなくなった高齢者は、部屋に置いたポータブルトイレを使用することが多い。ポータブルトイレを使用する場合には、ポータブルトイレの内側容器に水を張って排尿、排便をする。排尿、排便後に内側容器をトイレに持って行き処理するが、内側容器を持ち運んでいるときに、内側容器内の便をこぼして、部屋を汚損することがある。本発明の吸収シート体４が収容された簡易トイレ１を使用することで、このような問題を解決することができる。
【符号の説明】
【００５４】
１  簡易トイレ
２  枠体
３，９１，９８  容器本体
４  簡易トイレ用吸収シート
５  開口部
６  便座部
７  容器本体保持部
８  便座
９  ヒンジ部材
１２  フランジ部
１３  蓋部
１４  把持部
１７  底壁
１８  前部壁
１９  後部壁
２０  側壁
２１  角部
２５  表面シート
２６  裏面シート
２７  フラップ部
２８  吸収体
２９  吸収部
４１  上部カバー
５１  縁辺
５３  第１積層部
５４  第２積層部
５５  索条
５７  第１フラップ部分
５８  第２フラップ部分
５９，６０  フラップ部分
７４  簡易トイレ用吸収シート体
７５  第１壁部
７６  第２壁部
８１，８２  端部
９２  逆止弁
９３  周壁
９５  底壁
９６  上面
９９  開口部
１００  着座部
１０１  蓋部
【要約】
【課題】  可及的に広い吸収面が形成されるように容器本体に装着して、排泄物を迅速に吸収することができる簡易トイレ用吸収シート体を提供する。
【解決手段】  開口部５を有する、排泄物を収容するための容器本体３と、容器本体３が開口部５を上方に向けて着脱可能に装着される便座部６を有する枠体２と、を備えた簡易トイレ１の容器本体３に装着して使用される簡易トイレ用吸収シート体２であって、底壁１７を覆うように容器本体３に収容される吸収部２９と、吸収部２９の外周に連なる吸収部２９よりも柔軟性が高いフラップ部であって、吸収部２９の一方側および他方側に位置する第１フラップ部分５７および第２フラップ部分５８とを有するフラップ部２７と、弾発的に伸縮可能な一対の索条であって、第１フラップ部分５７および第２フラップ部分５８のそれぞれに、伸長させた状態で平行となるように接合される索条５５と、を備える。
【選択図】      図１【図１】
0006817647.tif 000002
【図２】
0006817647.tif 000003
【図３】
0006817647.tif 000004
【図４】
0006817647.tif 000005
【図５】
0006817647.tif 000006
【図６】
0006817647.tif 000007
【図７】
0006817647.tif 000008
【図８】
0006817647.tif 000009
【図９】
0006817647.tif 000010
【図１０】
0006817647.tif 000011
【図１１】
0006817647.tif 000012
【図１２】
0006817647.tif 000013
【図１３】
0006817647.tif 000014
【図１４】
0006817647.tif 000015
【図１５】
0006817647.tif 000016
【図１６】
0006817647.tif 000017
【図１７】
0006817647.tif 000018
【図１８】
0006817647.tif 000019
【図１９】
0006817647.tif 000020